【手続補正書】
【提出日】平成15年12月10日(2003.12.10)
【手続補正１】
【補正対象書類名】特許請求の範囲
【補正対象項目名】全文
【補正方法】変更
【補正の内容】
【特許請求の範囲】
【請求項１】
サービスをクライアントに対して提供するためのバーチャルサービスシステムであって、該システムは、
該クライアントについての情報を取得するため、および、その時に制御され調整される様態において該情報を取得するために複数のクライアントプロセスをユーザに提供するためのクライアントサービスステーションと、
所定の様態で、該クライアントについての該取得された情報を受信し、格納するための中央サーバステーションであって、該中央サーバステーションは、複数の別々のサーバを含む、中央サーバステーションと、
該中央サーバステーションに対する該情報の取得および伝送を容易にするための主要なサービスプロバイダと、
中央サーバステーションに格納される情報にアクセスするため、および、制御され、かつ、調整される様態において複数の専門家プロセスをユーザにその時提供するための専門家サービスプロバイダステーションと
を含む、サービスをクライアントに対して提供するためのバーチャルサービスシステム。
【請求項２】
前記中央サーバステーションの別々のサーバのそれぞれは、所定のタイプの取得される情報を受信しかつ格納する、請求項１に記載のバーチャルサービスシステム。
【請求項３】
前記専門家サービスプロバイダステーションは、専門家サービスステーションによって指定される時に、所定のプロトコルに応じて、前記中央サーバステーションに、情報を該専門家サービスステーションに伝送させることによって、該中央サーバステーションに格納される情報にアクセスする、請求項１または２に記載のバーチャルサービスシステム。
【請求項４】
前記所定のプロトコルは、第一の事例の低分解能画像を伝送し、その後、該画像の関心のある領域が前記専門家サービスプロバイダステーションに選択されるのを可能にし、最大分解能での該関心のある領域と同等の該画像の部分を伝送することを含む、請求項３に記載のバーチャルサービスシステム。
【請求項５】
前記クライアントプロセスは、
重要なクライアント情報収集手段と、
専門家サービスプロバイダ選択手段と、
マルチメディア情報グラブ手段と、
前記中央サーバステーションに対するマルチメディア情報アップロード手段と、
該中央サーバステーションに対する情報提示手段と、
前記専門家サービスプロバイダステーションに対する専門家サービスプロバイダ通知手段と
を含む、請求項１〜４のいずれか一つに記載のバーチャルサービスシステム。
【請求項６】
前記専門家プロセスは、前記情報にアクセスし、処理し、編集するためのプロセスを含み、かつ、
クライアント情報アクセス手段と、
該情報の精査および編集手段と、
該情報に関してレポートする手段と、
前記中央サーバステーションに対して前記クライアント情報の、編集されかつ、レポートされた局面を提示するための情報提示手段と、
前記主要なサービスプロバイダステーションに対する主要なサービスプロバイダ通知手段と
を含む、請求項１〜５のいずれか一つに記載のバーチャルサービスシステム。
【請求項７】
前記主要なサービスプロバイダステーションは、前記中央サーバステーションに格納される情報に対する所定の主要なレベルアクセスを有し、該所定の主要なレベルアクセスは、該情報の読み込みのみを可能にする、請求項１〜６のいずれか一つに記載のバーチャルサービスシステム。
【請求項８】
前記専門家サービスプロバイダステーションは、前記情報の読み込みおよび書き込みを可能にする所定の専門家レベルアクセスを有する、請求項１〜７のいずれか一つに記載のバーチャルサービスシステム。
【請求項９】
前記主要なサービスプロバイダステーションは、前記クライアントサービスステーションに対応する、請求項１〜８のいずれか一つに記載のバーチャルサービスシステム。
【請求項１０】
前記主要なサービスプロバイダステーションは、前記クライアントサービスステーションとは離れている、請求項５〜９のいずれか一つに記載のバーチャルサービスシステム。
【請求項１１】
制御されかつ調整される様態で前記システムを管理するための数の管理プロセスをその時にユーザに提供するための管理ステーションをさらに含む、請求項１〜１０のいずれか一つに記載のバーチャルサービスシステム。
【請求項１２】
前記管理プロセスは、
専門家アップデート手段と、
ユーザ統計提供手段と、
ユーザアップデート手段と、
医療中心アップデート手段と、
前記中央サーバステーションに格納された情報を検索するための検索手段と
を含む請求項１１に記載のバーチャルサービスシステム。
【請求項１３】
制御されかつ調整される様態で前記システムに格納される情報の分析を提供するために複数の分析プロセスを、その時に、ユーザに提供するための分析ステーションをさらに含む、請求項１〜１２のいずれか一つに記載のバーチャルサービスシステム。
【請求項１４】
前記分析プロセスは、
診断基準検索手段と、
レポート提供手段と、
情報表示手段と
を含む、請求項１３に記載のバーチャルサービスシステム。
【請求項１５】
前記情報表示手段は、患者表示手段を含む、請求項１４に記載のバーチャルサービスシステム。
【請求項１６】
前記情報表示手段は、結果表示手段である、請求項１４または１５に記載のバーチャルサービスシステム。
【請求項１７】
バーチャルサービスとしてクライアントにサービスを提供するための方法であって、該方法は、
制御されかつ調整される様態で複数のクライアントプロセスに従うことによって、クライアントサービスステーションにおけるクライアントについての情報を取得するステップと、
複数の別々のサーバを含む中央サーバステーションに、該情報を伝送するステップであって、該情報が所定の様態で格納される、ステップと、
主要なサービスプロバイダステーションを介して該中央サーバステーションに対する該情報の取得および伝送を容易にするステップと、
複数の専門家プロセスに従うことにより専門家サービスステーションから該中央サービスステーションの格納された情報にアクセスするステップと、
を包含する、方法。
【請求項１８】
前記中央サーバステーションに格納される前記情報は、所定のタイプに応じて分配され、各分配は、それぞれの所定のタイプの情報の格納のために指定された前記別々のサーバに格納される、請求項１７に記載の方法。
【請求項１９】
専門家サービスステーションから前記中央サービスステーションにおける前記格納された情報にアクセスするステップは、前記専門家サービスステーションによって指定された時に所定のプロトコルに応じて、該中央サーバステーションから該専門家サービスステーションに該情報を伝送するステップを包含する、請求項１７または１８に記載の方法。
【請求項２０】
前記所定のプロトコルは、
前記専門家サービスプロバイダステーションに第一の事例で低分解能画像を受信するステップと、
付加的に、該画像の関心のある領域を選択するステップと、
前記中央サーバステーションに該選択された関心のある領域の詳細を伝送するステップと、
前記関心のある領域と同等の該画像の部分の最大分解能画像を受信するステップと
を包含する、請求項１９に記載の方法。
【請求項２１】
前記クライアントプロセスは、
重要なクライアント情報を収集するステップと、
専門家サービスプロバイダを選択するステップと、
必要に応じて、マルチメディア情報をグラビングするステップと、
前記中央サーバステーションに該マルチメディア情報をアップロードするステップと、
該中央サーバステーションに該クライアント情報を提示するステップと、
該クライアント情報に関して、前記選択された専門家サービスプロバイダに通知するステップと
を包含する、請求項１７〜２０のいずれか一つに記載の方法。
【請求項２２】
前記方法は、前記専門家サービスステーションからの前記アクセスされ格納される情報を処理および編集するステップをさらに包含する、請求項１７〜２１のいずれか一つに記載の方法。
【請求項２３】
前記専門家プロセスは、
前記クライアント情報にアクセスするステップと、
該情報を精査および編集するステップと、
該情報に関してレポートするステップと、
前記中央サーバステーションに対して該クライアント情報の該編集され報告された局面を提示するステップと、
前記主要なサービスプロバイダステーションに前記主要なサービスプロバイダを通知するステップと
を包含する、請求項２２に記載の方法。
【請求項２４】
前記主要なサービスプロバイダステーションは、前記中央サーバステーションにて格納される情報に対する所定の主要なレベルアクセスを有し、該所定の主要なレベルアクセスは、該情報の読み出しのみを可能にする、請求項１７〜２３のいずれか一つに記載の方法。
【請求項２５】
前記専門家サービスプロバイダステーションは、前記情報の読み出しおよび書き込みを可能にする所定の専門家レベルアクセスを有する、請求項１７〜２４のいずれか一つに記載の方法。
【請求項２６】
管理ステーションを介して、制御され、かつ、調整される様態で前記システムを管理するための複数の管理プロセスをユーザに提供するためのステップをさらに包含する、請求項１７〜２５のいずれか一つに記載の方法。
【請求項２７】
前記管理プロセスは、
専門家アップデート手段と、
ユーザ統計提供手段と、
ユーザアップデート手段と、
医療中心アップデート手段と、
前記中央サーバステーションにて格納される情報を検索するための検索手段と
を包含する、請求項２６に記載の方法。
【請求項２８】
分析ステーションを介して、制御され、かつ、調整される様態で、前記システムに格納される前記情報の分析を提供するために複数の分析プロセスをユーザに提供するステップをさらに包含する、請求項１７〜２７のいずれか一つに記載の方法。
【請求項２９】
前記分析プロセスは、
診断基準検索手段と、
レポート提供手段と、
情報表示手段と
を含む、請求項２８に記載の方法。
【請求項３０】
前記情報表示手段は、患者表示手段を含む、請求項２９に記載の方法。
【請求項３１】
前記情報表示手段は、結果表示手段を含む、請求項２８または２９に記載の方法。
【手続補正２】
【補正対象書類名】明細書
【補正対象項目名】００１７
【補正方法】変更
【補正の内容】
【００１７】
本発明の第一の局面によると、サービスをクライアントに提供するためのバーチャルサービスシステムが提供され、このシステムは、
該クライアントについての情報を取得するため、および、その時に制御され調整される様態において該情報を取得するために複数のクライアントプロセスをユーザに提供するためのクライアントサービスステーションと、
所定の様態で、該クライアントについての該取得された情報を受信し、格納するためのクライアントサーバステーションであって、該中央サーバステーションは複数の別々のサーバを含む、クライアントサーバステーションと、
該中央サーバステーションに対する該情報の取得および伝送を容易にするための主要なサービスプロバイダと、
中央サーバステーションに格納される中央に格納される情報にアクセスするため、および、その時に制御され調整される様態において複数の専門家プロセスをユーザに提供するための専門家サービスプロバイダステーションとを含む。
【手続補正３】
【補正対象書類名】明細書
【補正対象項目名】００１８
【補正方法】変更
【補正の内容】
【００１８】
前記中央サーバステーションの別々のサーバは、所定のタイプの取得した情報をそれぞれ受信し、かつ、格納し得る。さらに、前記専門家サービスプロバイダステーションは、前記専門家サービスステーションによって指定される時に、所定のプロトコルに応じて、前記中央サーバステーションに、情報を該専門家サービスステーションに伝送させることによって、該中央サーバステーションに格納される情報にアクセスするように構成される。ある配置において、前記所定のプロトコルは、第一の事例の低分解能画像を伝送し、その後、該画像の関心のある領域が前記専門家サービスプロバイダステーションに選択されることを可能にし、最大分解能での該関心のある領域と同等の該画像の部分を伝送することを含む。
前記クライアントプロセスは、重要なクライアント情報収集手段と、専門家サービスプロバイダ選択手段と、マルチメディア情報グラブ手段と、前記中央サーバステーションに対するマルチメディア情報アップロード手段と、該中央サーバステーションに対する情報提示手段と、前記専門家サービスプロバイダステーションに対する専門家サービスプロバイダ通知手段とを含み得る。
【手続補正４】
【補正対象書類名】明細書
【補正対象項目名】００２９
【補正方法】変更
【補正の内容】
【００２９】
本発明の別の局面にしたがって、バーチャルサービスとしてクライアントにサービスを提供するための方法であって、該方法は、
制御され調整される様態で複数のクライアントプロセスに従う（ｆｏｌｌｏｗ）ことによって、クライアントサービスステーションにてクライアントについての情報を取得するステップと、
該情報が所定の様態で格納される場合に、複数の別々のサーバを含む該中央サーバステーションに該情報を伝送するステップと、
主要なサービスプロバイダステーションを介して該中央サーバステーションに対する該情報の取得および伝送を容易にするステップと、
複数の専門家プロセスに従うことにより専門家サービスステーションから該中央サービスステーションの格納された情報にアクセスするステップとを含む。
【手続補正５】
【補正対象書類名】明細書
【補正対象項目名】００３０
【補正方法】変更
【補正の内容】
【００３０】
前記方法は、所定のタイプに応じて前記中央サーバステーションに格納される情報を分配するステップをさらに包含し、それぞれの所定のタイプの情報の格納のために指定された前記別々のサーバがそのタイプの該分配された情報を受信し得る。
前記方法は、専門家サービスステーションから前記中央サービスステーションにおける前記格納された情報にアクセスするステップが、前記専門家サービスステーションによって指定された時に所定のプロトコルに応じて、該中央サーバステーションから該専門家サービスステーションに該情報を伝送するステップを包含することを含み得る。前記所定のプロトコル自体が、
前記専門家サービスプロバイダステーションに第一の事例で低分解能画像を受信するステップと、
付加的に、該画像の関心のある領域を選択するステップと、
前記中央サーバステーションに該選択された関心のある領域の詳細を伝送するステップと、
前記関心のある領域と同等の該画像の部分の最大分解能画像を受信するステップとを包含する。
前記クライアントプロセスは、重要なクライアント情報を集めるステップと、専門家サービスプロバイダを選択するステップと、必要に応じて、マルチメディア情報をグラビングするステップと、前記中央サーバステーションに該マルチメディア情報をアップロードするステップと、該中央サーバステーションに該クライアント情報を提示するステップと、該クライアント情報に関して、前記選択された専門家に通知するステップとを含み得る。